(57)【要約】【課題】  ＲＦタグを用いて、劇場での盗撮が防止可能であるビデオカメラの盗撮行為防止システムを提供する。【解決手段】  劇場システムは、劇場１２の入場ゲート１７ａを通過するカムコーダ１０の能動型ＲＦタグに記録されているデータをＲＦタグリーダ１１ａにて読み取り、タグ情報管理サーバ１４に格納する。タグ情報データベースサーバ１３は、市場に流通しているＲＦタグについての最新の情報を格納しており、退場ゲート１７ｂから退場する際にＲＦタグリーダ１１ｂにて読み取られたデータと先に格納したデータとから劇場１２内での撮影行為を判断するようにする。【選択図】      図１
2005051487.tif 000002
【特許請求の範囲】
【請求項１】
特定の劇場領域におけるビデオカメラの盗撮行為を防止するシステムであって、
能動型無線タグを内蔵したビデオカメラと、
前記劇場領域に入場する入場口に前記能動型無線タグの情報を読み取るための第１の能動型無線タグ読み取り手段と、
前記劇場領域から退場する退場口に前記能動型無線タグの情報を読み取るための第２能動型の無線タグ読み取り手段と、
前記第１の能動型無線タグ読み取り手段及び第２の能動型無線タグ読み取り手段から得た情報を管理する能動型無線タグ情報管理手段と、
前記能動型無線タグ情報管理手段における前記第１の能動型無線タグ読み取り手段及び第２の能動型無線タグ読み取り手段から得た情報が同一でない場合に、前記劇場領域において前記ビデオカメラが記録動作を行ったことを判別する判別手段と、
を有することを特徴とするビデオカメラの盗撮防止システム。
【請求項２】
特定の劇場領域におけるビデオカメラの盗撮行為を防止するシステムであって、
受動型無線タグを内蔵したビデオカメラと、
前記劇場領域内に前記受動型無線タグの情報を読み取るための受動型無線タグ読み取り手段と、
前記受動型無線タグ読み取り手段から得た情報を管理する受動型無線タグ情報管理手段と、
前記ビデオカメラの撮影動作の有無を検出する撮影動作有無検出手段と、
前記受動型無線タグ情報管理手段の情報と前記撮影動作有無検出手段が有を検出した場合に、前記劇場領域において前記ビデオカメラが記録動作を行ったことを判別する判別手段と、
を有することを特徴とするビデオカメラの盗撮防止システム。
【発明の詳細な説明】
【技術分野】
【０００１】
本発明は、映画などのプログラムを上映する劇場においてビデオカメラの盗撮行為防止システムに関するものである。
【背景技術】
【０００２】
従来、劇場内でカムコーダによる撮影行為が行われ、いわゆる海賊板が作製されるという問題がある。これに対し、信号処理技術を用いて上映する映画の動画内にコピー防止パターンを混入させることで、カムコーダなどのディジタル録画装置による撮影が行われた場合に撮影映像中にエイリアシングノイズを発生させ、不快な映像を生成するシステムが提案されている（例えば、特許文献１参照。）。
【０００３】
また、通常の上映プログラムを投影する映写機に加えて、赤外線を投影する映写機を別に設け、映画上映中のスクリーンに赤外線を同時に投影することによって、カムコーダなどディジタル録画装置で撮影した場合に、録画映像中にエイリアシングノイズを発生させ、不快な映像を生成するシステムが提案されている（例えば、特許文献２参照。）。
【特許文献１】特開２００２−３１４９３８公報
【特許文献１】米国特許第６０１８３７４号明細書
【発明の開示】
【発明が解決しようとする課題】
【０００４】
ところで、これら従来技術の方法では、スクリーンに投影する映像に対して投影前、または投影後に処理を施す方法であり、その実施においてはディジタル信号処理装置や赤外線投影用の映写機を、劇場のシステムに対して追加する必要があり、非常に大掛かりなシステム変更が必要とされるという問題があった。
【０００５】
本発明は、以上の点に鑑みなされたもので、物流システムにおける在庫管理や小売店舗における万引き防止システムなどの事業領域で近年急速に普及を進めている無線タグを用いて、劇場での盗撮が防止可能であるビデオカメラの盗撮行為防止システムを提供することを目的とする。
【課題を解決するための手段】
【０００６】
本発明は、上記課題を解決するために、以下の１）〜２）記載の手段よりなる。
すなわち、
１）特定の劇場領域におけるビデオカメラの盗撮行為を防止するシステムであって、
能動型無線タグを内蔵したビデオカメラと、
前記劇場領域に入場する入場口に前記能動型無線タグの情報を読み取るための第１の能動型無線タグ読み取り手段と、
前記劇場領域から退場する退場口に前記能動型無線タグの情報を読み取るための第２能動型の無線タグ読み取り手段と、
前記第１の能動型無線タグ読み取り手段及び第２の能動型無線タグ読み取り手段から得た情報を管理する能動型無線タグ情報管理手段と、
前記能動型無線タグ情報管理手段における前記第１の能動型無線タグ読み取り手段及び第２の能動型無線タグ読み取り手段から得た情報が同一でない場合に、前記劇場領域において前記ビデオカメラが記録動作を行ったことを判別する判別手段と、
を有することを特徴とするビデオカメラの盗撮防止システム。
【０００７】
２）特定の劇場領域におけるビデオカメラの盗撮行為を防止するシステムであって、
受動型無線タグを内蔵したビデオカメラと、
前記劇場領域内に前記受動型無線タグの情報を読み取るための受動型無線タグ読み取り手段と、
前記受動型無線タグ読み取り手段から得た情報を管理する受動型無線タグ情報管理手段と、
前記ビデオカメラの撮影動作の有無を検出する撮影動作有無検出手段と、
前記受動型無線タグ情報管理手段の情報と前記撮影動作有無検出手段が有を検出した場合に、前記劇場領域において前記ビデオカメラが記録動作を行ったことを判別する判別手段と、
を有することを特徴とするビデオカメラの盗撮防止システム。
【発明の効果】
【０００８】
本発明のビデオカメラの盗撮行為防止システムにおいては、劇場内でのビデオカメラの存在を検出することが可能であり、能動型無線タグ（以下ＲＦタグと記す）を用いることで、撮影記録を証拠として残すことが、受動型ＲＦタグを用いることで、劇場内でカムコーダによって撮影動作が行われた場合、撮影動作、撮影の位置を検出することができるので確実な盗撮防止システムが構築できると言う効果がある。
【０００９】
劇場においては、既存の劇場システムを大幅に変更することなく簡易なシステム追加によって実現が可能である。ビデオカメラにおいては、ＲＦタグは非常に小型で、また外部からの電源供給が不要であることからビデオカメラ内に設置することによる消費電力面でのデメリットがなく、さらにＲＦタグは安価であることから、大量生産されるビデオカメラ内に設置することによる価格面でのデメリットもない。従って、簡易なシステムでしかも低コストの盗撮防止システムを提供できるという効果がある。
【発明を実施するための最良の形態】
【００１０】
本発明の自動焦点調整装置の発明を実施するための最良の形態につき、好ましい実施例により説明する。
【００１１】
各実施例に適用されるＲＦタグであるが、ＲＦタグの動作によってＲＦタグの種類を以下のように能動型タグ、受動型タグとそれぞれ定義する。
【００１２】
能動型タグは、ＲＦタグの外部からの動作によって、ＲＦタグに格納されている情報の読取りが可能なだけでなく、ＲＦタグに新しく情報を格納することが可能なＲＦタグであるものとする。例えば、ビデオカメラから使用時間、録画再生などの使用形態、積算使用時間などの情報を書き込み、ＲＦタグのメモリに格納される。
【００１３】
一方、受動型タグは、ＲＦタグの外部からの動作によって、ＲＦタグに格納されている情報の読取りのみ可能なＲＦタグであるものとする。
【００１４】
これら能動型タグおよび受動型タグは、非接触ICチップを使った記憶媒体とアンテナが埋め込まれたタグであり、ＩＳＯ−１４４９３やＩＳＯ−１５６９３によって規定された方式に基づいた構成であるものを例に説明する。なお、実施においては特にこの方式の限りではない。
【実施例１】
【００１５】
まず、機器識別タグとして能動型タグを用いた場合の実施の形態について説明する。図1に能動型タグを用いた劇場側システムの概略構成図を、図２にカムコーダ側システムの概略構成図をそれぞれ示す。
【００１６】
図1に示すように、劇場１２側システムは、劇場の入場ゲート１７ａ、退場ゲート１７ｂにそれぞれゲートを通過する能動型ＲＦタグに記録されているデータを読取るためのＲＦタグリーダ１１ａ，１１ｂを備えている。また、これらＲＦタグリーダ１１ａ，１１ｂで読取られた情報を格納するためのタグ情報管理サーバ１４を劇場１２外に備え、有線または無線でＲＦタグリーダ１１ａ，１１ｂと接続されている。タグ情報データベースサーバ１３は、市場に流通しているＲＦタグについての最新の情報を格納しているデータベースサーバである。タグ情報管理サーバ１４はタグ情報データベースサーバ１３に有線または無線で接続されており、劇場１２内のＲＦタグリーダ１１ａ，１１ｂで読取られ、タグ情報管理サーバ１４に格納されたタグ情報からカムコーダの機種や製造メーカなどタグ固有の情報を判断するために、タグ情報データベースサーバ１３上のデータを参照する。
【００１７】
図２に示すように、カムコーダ１０側システムはカムコーダ１０内部に能動型ＲＦタグ１０ａを備え、能動型ＲＦタグ１０ａはカムコーダ１０の撮影動作制御部１０ｂと接続しており、撮影動作時に撮影に関する情報が撮影動作制御部１０ｂから能動型ＲＦタグ１０ａに書き込まれる。
【００１８】
能動型ＲＦタグ１０ａには、カムコーダ１０の出荷時に機器ID、ＲＦタグIDなどカムコーダに固有の情報がＲＦタグに含まれている。また、撮影情報によって新たに格納される撮影情報は、撮影開始時間、撮影終了時間といった情報、カムコーダが上映中の映画を撮影したときに、撮影対象映像から図示しないフレームレート検出回路により映画上映である４８ｐあるいは９６ｐであることを検出して、上映中の映画を撮影していることを示す情報で構成されるものとする。
【００１９】
映画フィルムは１秒あたり２４コマであるが、通常劇場で上映する場合、２４コマでは鑑賞者はフリッカーを感じてしまうため１コマをさらに４分割して、１分割目を投射、２分割目を不投射、３分割目を投射、４分割目をフィルム送りとしており、いわゆる４８ｐ状態であるため、４８ｐあるいは９６ｐであることを検出するようにする。
【００２０】
次に図３を用いて、劇場側システムの動作手順を説明する。システム動作を開始すると、入場ゲート１７ａに設置したＲＦタグリーダ１１ａにより、ＲＦタグ内蔵カムコーダ１０の通過を監視する（Ｓ３０）。入場ゲート１７ａを通過して劇場１２内へ入場するＲＦタグ１０ａを検出する（Ｓ３１Ｙｅｓ）と、ＲＦタグ１０ａから読取った情報をタグ情報管理サーバ１４に通知し、この情報をサーバ（Ｓ３２）に格納する。退場ゲート１７ｂに設置したＲＦタグリーダ１１ｂにより、ＲＦタグ内蔵カムコーダ１０の通過を監視する（Ｓ３３）。退場ゲート１７ｂを通過して劇場１２外へ退場するＲＦタグ１０ａを検出する（Ｓ３４Ｙｅｓ）と、ＲＦタグ１０ａから読取った情報をタグ情報管理サーバ１４に通知し、この情報をサーバに格納する（Ｓ３５）。タグ情報管理サーバ１４は、退場ゲート１７ｂからタグ情報の通知を受けると、このタグ情報からタグIDを検出し、既にサーバに格納されてある入場時のタグ情報（Ｓ３６）を参照する。入場時のタグ情報から、同じタグIDについての入場時タグ情報に退場時タグ情報を検出する（Ｓ３７）。新規に撮影した情報があれば（Ｓ３８Ｙｅｓ）、その撮影情報から撮影開始時間、撮影終了時間、フレームレート設定などを確認し、上映プログラムを撮影した撮影行為の照合（Ｓ３８）を行う。
【００２１】
図４を用いて、カムコーダ１０が撮影動作を行ったとき、ＲＦタグに撮影情報を書き込む動作について説明する。撮影動作があるか否かを検出（Ｓ４０）する。撮影動作があれば（Ｓ４０Ｙｅｓ）、カムコーダ１０内の撮影動作制御部がＲＦタグ１０ａに撮影情報を記録する（Ｓ４１）。
【００２２】
次に、カムコーダ１０に内蔵されたＲＦタグ１０ａの動作をフローチャートに示す。
【００２３】
まず、図５を用いて、ＲＦタグリーダによってタグ情報読取り動作が行われた動作について示す。ＲＦタグリーダからタグ情報の読取り動作があるか否かを検出する（Ｓ５０）。ＲＦタグリーダからタグ情報の読取り動作が行われると（Ｓ５０Ｙｅｓ）、ＲＦタグに格納している情報をＲＦタグリーダに返す（Ｓ５１）。
【００２４】
次に、図６を用いて、カムコーダの動作制御部から撮影情報の書き込み動作がについて説明する。撮影動作制御部から撮影情報の書き込み動作があるか否かを検出する（Ｓ６０）。 撮影動作制御部から撮影情報の書き込み動作があれば（Ｓ６０Ｙｅｓ）、撮影情報をＲＦタグに格納する（Ｓ６１）。
【実施例２】
【００２５】
次に、機器識別タグとして受動型タグを用いた場合の実施例２について説明する。
【００２６】
受動型タグを用いたシステムは、能動型タグを用いたシステム同様に、劇場側、カムコーダ側のシステムによって構成される。図7に、受動型タグを用いた場合における劇場側システムの概略構成図を、図８に、カムコーダ側システムの概略構成図をそれぞれ示す。
【００２７】
図7に示すように、受動型タグを用いた劇場側システムは、ＲＦタグリーダ１６ａ、タグ情報管理サーバ１４、タグ情報データベースサーバ１３、撮影動作検出装置７０によって構成される。ＲＦタグリーダ１６ａは客席内に設置され、受動型ＲＦタグを内蔵したカムコーダ１０が付近に存在する場合、受動型ＲＦタグに格納されているタグ情報を読取る。ＲＦタグリーダ１６ａは劇場１２外に設置されたタグ情報管理サーバ１４に有線または無線で接続されており、客席内でのカムコーダ検出情報を、読取ったタグ情報とともにタグ情報管理サーバ１４に通知する。タグ情報データベースサーバ１３は、市場に流通しているＲＦタグについての最新の情報を格納しているデータベースサーバであり、検出情報およびタグ情報を受取ったタグ情報管理サーバ１４は、タグ情報データベースサーバ１３に格納されてあるデータを参照することで、劇場内のＲＦタグリーダ１６ａで読取られたタグ情報からカムコーダ１０の機種や製造メーカなどのタグ固有の情報を判断する。
【００２８】
本システムでは、客席内に設置するＲＦタグリーダは複数存在してもよい。この場合、タグ情報管理サーバには複数のＲＦタグリーダから検出情報が送られる。これら複数のＲＦタグリーダからの検出情報をもとに、タグ情報管理サーバは計算によってカムコーダの場所の特定を行ってもよい。
【００２９】
受動型ＲＦタグを用いた場合、ＲＦタグリーダはカムコーダの存在検出を行うが、撮影行為の特定までは出来ない。従って撮影行為の特定には、撮影動作検出装置を用いることにより行う。撮影動作検出装置は、例えば、カムコーダの撮影動作中にカムコーダ内から漏れる不要輻射の検出を行うなどしてカムコーダの撮影動作を検出する。
【００３０】
次に、図8に示すように、カムコーダ側システムは、カムコーダ１０内に受動型ＲＦタグ１０ｃを備えている。この受動型ＲＦタグ１０ｃには、カムコーダ１０の機器IDなどカムコーダ１０に固有の情報が格納されている。この受動型ＲＦタグ１０ｃは、カムコーダ１０内にただ設置されているだけで、カムコーダ１０内部部品と電気的な接続は行われていない。
【００３１】
また、この受動型ＲＦタグ１０ｃを検出するため、カムコーダ１０の周囲を導体で包むなどしたシールド行為に対する対策を施すか、或いはカムコーダ１０をシールドしていても外部からタグ情報を読取ることが可能なＲＦタグを用いる。あるいは、シールドによりＲＦタグリーダによる受動型ＲＦタグ１０ｃの検出が難しい場合、撮影時にはレンズを必ず開くというカムコーダ１０の特性を活かして、カムコーダ１０内レンズ付近に受動型ＲＦタグ１０ｃを設置し、撮影動作中については必ず検出可能となるような構成としてもよい。
【００３２】
次に、図９を用いて、劇場側システムの動作手順を説明する。客席内に設置したＲＦタグリーダによるタグ情報読取り動作により、ＲＦタグ内蔵カムコーダの存在検出を行う（Ｓ９０）。ＲＦタグ内蔵カムコーダが検出されれば（Ｓ９１Ｙｅｓ）、タグ情報管理サーバにタグ情報を通知し、サーバ内にこの情報を格納する（Ｓ９２）。客席内に複数のＲＦタグリーダを設置している場合には、複数のＲＦタグから送られたサーバ上のタグ情報をもとに、ＲＦタグ内蔵カムコーダの位置を計算し、位置検出を行う（Ｓ９３）。撮影動作検出装置によってカムコーダの撮影行為を検出する（Ｓ９４）。撮影行為が検出されると（Ｓ９５Ｙｅｓ）、撮影防止対策を施す（Ｓ９６）。
【００３３】
次に、図１０を用いて、カムコーダ側システムにおける受動型ＲＦタグの動作を説明する。ＲＦタグリーダからタグ情報の読取り動作があるか否かを検出する（Ｓ１０１）。ＲＦタグリーダからタグ情報の読取り動作が行われれば（Ｓ１０１Ｙｅｓ）、ＲＦタグに格納している情報をＲＦタグリーダに返す（Ｓ１０２）。
【実施例３】
【００３４】
実施例３として、受動型ＲＦタグを用いたシステムの変形例を示す。ここに示す変形例は、受動型ＲＦタグに対してカムコーダからの動作により、その動作状態のオン/オフを切り替えるシステムであり、受動型タグと能動型タグの特徴を併せ持つため、以下、このシステムを中間型システムと表現する。
【００３５】
図１１に、中間型システムの劇場側システム概略構成図を、図１２に、カムコーダ側システム概略構成図をにそれぞれ示す。
【００３６】
図１１に示すように、劇場側システムは、客席内に設置したＲＦタグリーダ１６ａ、劇場１２外に設置したタグ情報管理サーバ１４、タグ情報データベースサーバ１３によって構成される。これは前述の実施例２である受動型ＲＦタグを用いた劇場側システムから撮影動作検出装置を除いた構成となっている。客席内ＲＦタグリーダ１６ａは客席内に存在するＲＦタグ内蔵カムコーダ１０の存在を検出し、検出時に読取ったタグ情報とともにタグ情報管理サーバ１４に通知する。タグ情報管理サーバ１４はＲＦタグリーダ１６ａから送られた情報を格納し、タグ情報データベースサーバ１３にあるデータを参照することで、タグ固有の情報を判断する。
【００３７】
次に図１２に示すように、カムコーダ側システムは、通常のカムコーダ１０内部に受動型ＲＦタグ１０ｃを内蔵し、カムコーダの撮影動作制御部１０ｂと電気的に接続されている。この電気的な接続を行うことにより、撮影動作をうけて受動型ＲＦタグ１０ｃの応答動作を電気的に制御する。以下に、中間型システムにおける受動型ＲＦタグ１０ｃの応答動作について詳しく説明する。
【００３８】
中間型システムにおける受動型ＲＦタグ１０ｃは、撮影動作を行っていないときはスイッチオン状態となっており、ＲＦタグリーダ１６ａからタグ情報の読取り動作が行われると、これに対して必ずタグ情報を返すような動作をする。しかしながら、カムコーダ撮影動作を行っているときは、スイッチオン／オフの状態を間欠的に繰り返す。従って、カムコーダ１０が撮影動作を行っているときは、ＲＦタグリーダ１６ａからタグ情報の読取り動作が行われても、受動型ＲＦタグ１０ｃのスイッチオン／オフの状態によって応答を返したり返さなかったりする。このような動作により、撮影動作情報を書き込むことのできない受動型ＲＦタグ１０ｃにおいても、ＲＦタグリーダ１６ａに対して撮影動作の有無を通知することが可能となる。図１３に受動型ＲＦタグの間欠動作状態を示す。このような間欠動作は、例えば図１４のようなカウンタ回路を組み合わせ、またカウンタ回路を図１５に示すように動作させることにより実現する。
【００３９】
次に、図１６を用いて、中間型システムにおける劇場側システムの動作手順を説明する。客席内に設置したＲＦタグリーダ１６ａにより、ＲＦタグ内蔵カムコーダ１０の存在検出動作を行う（Ｓ１６１）。客席内にＲＦタグ内蔵カムコーダ１０を検出すれば（Ｓ１６２Ｙｅｓ）、受動型ＲＦタグ１０ｃから読取ったタグ情報とともに、タグ情報管理サーバ１４へ通知する。タグ情報管理サーバ１４は、ＲＦタグリーダ１６あより受けた情報を、サーバ内に格納する（Ｓ１６３）。タグ情報管理サーバ１４は、読取ったＲＦタグ情報をもつタグIDの過去の読取り情報を参照し、また計算により特定のオン／オフパターンを形成しているか否かを判定する（Ｓ１６４）。Ｓ１６１〜Ｓ１６４を繰り返し、中間型システム特有の間欠パターンが、撮影動作特有のパターンを示した場合（Ｓ１６４Ｙｅｓ）、このＲＦタグ内蔵カムコーダ１０により撮影動作が行われていることを確認する（Ｓ１６５）。撮影動作が行われていることを確認した後、撮影行為に対する対策を行う（Ｓ１６６）。
【００４０】
次に、図１７を用いて、中間型システムにおけるカムコーダ側の動作手順を説明する。内蔵している受動型ＲＦタグ１０ｃをスイッチオンの状態とし（Ｓ１７０）、ＲＦタグリーダ１６ａからのタグ情報の読取り動作に対して常に応答可能な状態とする。撮影動作が開始（Ｓ１７１Ｙｅｓ）されれば、カムコーダ１０内の撮影動作制御部１０ｂから受動型ＲＦタグ１０ｃに対して撮影動作信号が送られ、受動型ＲＦタグ１０ｃはスイッチオン／オフの間欠動作状態（Ｓ１７２）となる。撮影動作中はスイッチオン／オフの間欠動作状態を保持する。撮影動作が終了（Ｓ１７３Ｎｏ）すると、再び受動型ＲＦタグ１０ｃのスイッチがオンの状態（Ｓ１７４）となり、ＲＦタグリーダ１６ａからのタグ情報読取り動作に対して常に応答可能な状態となる。
【００４１】
前述の受動型ＲＦタグを用いたシステム、および中間型システムでは客席内にＲＦタグリーダを設置する必要がある。
【００４２】
図１８に、ＲＦタグリーダを座席に埋め込む構成例について示す。ＲＦタグから発せられる電波の有効到達距離や、ＲＦタグからＲＦタグリーダへの経路間の障害物などを考慮し、ＲＦタグリーダを座席内に埋め込んだ設置方法である。
【００４３】
また、図１９に、ＲＦタグへのシールド対策を考慮したＲＦタグリーダ設置例を示す。カムコーダは、レンズを必ず開くという特性と、スクリーンの方向が客席前方方向にある、という位置関係を利用して、前の客席から後方へ指向性を持たせてＲＦタグリーダを設置する方法である。
【００４４】
複数のＲＦタグリーダより同一のＲＦタグ内蔵カムコーダを検出した例を図２０に、またこの場合にＲＦタグからの応答強度を用いてカムコーダの位置を特定する例を図２１に、それぞれ図示する。
【００４５】
客席内に複数のＲＦタグリーダを設置している場合、1つのＲＦタグに対して複数のＲＦタグリーダから同時にタグ検出を行う状況が考えられる。このときの位置検出については、ＲＦタグリーダがタグ情報を読取る際に、あわせてタグからの応答強度を読取ることで、どのＲＦタグリーダ付近にＲＦタグが存在するか計算する。
【００４６】
受動型タグによるシステムの劇場側システム構成では、客席内にのみＲＦタグを設けているが、これを能動型タグによるシステムと同様に、入場ゲートや退場ゲートにＲＦタグリーダを設置することで、ＲＦタグ内蔵カムコーダの劇場内への持込を、未然に防ぐように構成してもよい。
【００４７】
能動型タグによるシステムの劇場側システム構成では、入場ゲートおよび退場ゲートにのみＲＦタグを設けているが、これを受動型システムと同様に客席内にもＲＦタグを設置する。これにより劇場内での撮影動作を客席内のＲＦタグリーダからも検出可能となり、劇場内で上映プログラムを撮影した場合に、撮影動作を行ったという裏付けを強めることが可能となるよう構成してもよい。
【００４８】
ＲＦタグリーダを椅子に埋め込むことにより、盗撮防止システムの移動が容易となるので、普段は映画を上映していない施設に映画館を仮設する場合、ＲＦタグリーダを埋め込んだ座席を会場に設置し、ＲＦタグリーダをサーバに接続することで盗撮防止システムが実現可能となるよう構成してもよい。
【００４９】
もちろん、映画上映のためのスクリーンを用いないイベント、例えば演劇舞台やコンサート会場でも実現可能である。
【図面の簡単な説明】
【００５０】
【図１】実施例１に適用される能動型ＲＦタグを用いた劇場側システムの概略構成図を示した図である。
【図２】実施例１に適用される能動型ＲＦタグを用いたカムコーダ側システムの概略構成図を示した図である。
【図３】実施例１に適用される劇場側システムの動作手順を説明するためのフローチャートの一例である。
【図４】実施例１に適用されるカムコーダが撮影動作を行ったとき、ＲＦタグに撮影情報を書き込む動作について説明するためのフローチャートの一例である。
【図５】実施例１に適用されるＲＦタグリーダによってタグ情報読取り動作が行われた動作について説明するためのフローチャートの一例である。
【図６】実施例１に適用されるカムコーダの動作制御部から撮影情報の書き込み動作がについて説明するためのフローチャートの一例である。
【図７】実施例２に適用される受動型ＲＦタグを用いた劇場側システムの概略構成図を示した図である。
【図８】実施例２に適用される受動型ＲＦタグを用いたカムコーダ側システムの概略構成図を示した図である。
【図９】実施例２に適用される劇場側システムの動作手順を説明するためのフローチャートの一例である。
【図１０】実施例２に適用されるカムコーダ側システムにおける受動型ＲＦタグの動作を説明するためのフローチャートの一例である。
【図１１】実施例３に適用される中間型システムの劇場側システムの概略構成図を示した図である。
【図１２】実施例３に適用される中間型システムのカムコーダ側システムの概略構成図を示した図である。
【図１３】実施例３に適用される受動型ＲＦタグの間欠動作状態を示した図である。
【図１４】実施例３に適用される受動型ＲＦタグを間欠動作させるためのカウンタ回路の概略構成図を示した図である。
【図１５】図１４に示すまたカウンタ回路の動作状態を説明するための図である。
【図１６】実施例３に適用される劇場側システムの動作手順を説明するためのフローチャートの一例である。
【図１７】実施例３に適用されるカムコーダ側システムにおける受動型ＲＦタグの動作を説明するためのフローチャートの一例である。
【図１８】実施例２，３において、ＲＦタグリーダを座席に埋め込む構成例について示した図である。
【図１９】実施例２，３において、ＲＦタグへのシールド対策を考慮したＲＦタグリーダ設置例を示した図である。
【図２０】実施例２，３において、複数のＲＦタグリーダより同一のＲＦタグ内蔵カムコーダを検出した例を示した図である。
【図２１】実施例２，３において、複数のＲＦタグリーダを設置し、ＲＦタグからの応答強度を用いてカムコーダの位置を特定する例を示した図である。
【符号の説明】
【００５１】
１０…カムコーダ
１０ａ…能動型ＲＦタグ
１０ｂ…撮影動作制御部
１０ｃ…受動型ＲＦタグ
１０ｆ…カウンタ
１０ｆ…セレクタ
１１ａ，１１ｂ，１６ａ…ＲＦタグリーダ
１２…劇場
１３…タグ情報データベースサーバ
１４…タグ情報管理サーバ
１５…スクリーン
１６…客席
１７ａ，１７ｂ…ゲート
７０…撮影動作検出装置
【図１】
2005051487.tif 000003
【図２】
2005051487.tif 000004
【図３】
2005051487.tif 000005
【図４】
2005051487.tif 000006
【図５】
2005051487.tif 000007
【図６】
2005051487.tif 000008
【図７】
2005051487.tif 000009
【図８】
2005051487.tif 000010
【図９】
2005051487.tif 000011
【図１０】
2005051487.tif 000012
【図１１】
2005051487.tif 000013
【図１２】
2005051487.tif 000014
【図１３】
2005051487.tif 000015
【図１４】
2005051487.tif 000016
【図１５】
2005051487.tif 000017
【図１６】
2005051487.tif 000018
【図１７】
2005051487.tif 000019
【図１８】
2005051487.tif 000020
【図１９】
2005051487.tif 000021
【図２０】
2005051487.tif 000022
【図２１】
2005051487.tif 000023